(57)【要約】      （修正有）【課題】排気フード内で排気が滞留させることなく、簡単に排気の捕集効率をアップできる厨房用排気装置を提供する。【解決手段】厨房用排気装置２０は、排気ダクト５に連通する排気口を有する排気フード２１と、排気口に接続されるチャンバ２２と、チャンバに取り付けられるグリスフィルタ３とを有し、チャンバには、傾斜面２２ａと垂直面２２ｂを有し、傾斜面には大開口２２ｃが設けられ、垂直面には小開口２２ｄが設けられて、大開口にはメイングリスフィルタ、小開口にはサブグリスフィルタ２３が取り付けられる。【選択図】図１
0003226394.tif 000002
【実用新案登録請求の範囲】
【請求項１】
排気ダクトに連通する排気口を有する排気フードと、
前記排気口に接続されるチャンバと、
前記チャンバに取り付けられるグリスフィルタと、を有する  厨房用排気装置であって、
前記チャンバには、傾斜面と垂直面を有し、
前記傾斜面には大開口が設けられ、
前記垂直面には小開口が設けられ、
前記グリスフィルタは、前記大開口に取り付けられるメイングリスフィルタと、前記小開口に取り付けられるサブグリスフィルタであることを特徴とする厨房用排気装置。
【考案の詳細な説明】
【技術分野】
【０００１】
本考案は、例えば業務用厨房において調理用熱源から発生する水蒸気や油煙等を排気するための厨房用排気装置に関する。
【背景技術】
【０００２】
図３（ａ）〜（ｃ）は、業務用厨房における排気装置１０の概略構成を示す図である。フード外へ漏れた排気を再捕集して、調理用熱源から発生する排気を効率良く取り込むことができるようにすることを課題として、厨房に配備された調理用熱源５０の上方の天井部分に取り付けられ、排気口を囲んで設けられた囲壁部１ａを有する排気フード１において、囲壁部１ａの外面に、天井４に向って囲壁部１ａより離れる方向に傾斜する整流板１ｂを設け、排気フード１で捕集されなかった漏れ排気を、整流板１ｂの傾斜面に沿って案内しながらフード内に導くようにしたものである（特許文献１）。
【０００３】
特許文献１に係る発明は、課題であるフード外へ漏れた排気を、排気フード１に傾斜した整流板１ｂを設けたことによって、排気ファンの吸引作用により、整流板１ｂの傾斜面に沿って排気フード１の内部に向かう矢印ａのような空気の流れを形成し、漏れ排気が、天井付近に滞留することを抑えることができる優れた効果を有する。
【０００４】
しかしながら、このように効率よく排気フード１内に排気が捕集された場合においても、排気量が非常に大きい場合には、排気フード１内の排気が全て、チャンバ２内に捕集されず、排気フード１内で滞留してしまうことがある。例えば、図３（ｂ）に示すように、チャンバ２は、側面視で逆台形状のボックス形状を有しており、天井側の面には、排気ダクト５に連通する図示しない排気出口が設けられている。さらに、天井に対し、傾斜するように設けられた二面２ａと、これらの二面をつなぐ２つの左右側面２ｂ（逆台形状）が設けられ、左右側面は天井に対し垂直に設けられている。傾斜する二面２ａ（便宜上、これら二面を正面および背面という。）には、開口２ｃが設けられており、そこには、例えば、特開２００４−１３０２５７に開示されているようなグリスフィルタ３が着脱自在に取り付けられる。チャンバ２にグリスフィルタ３が取り付けられたものをグリスフィルタユニットｆという。
【０００５】
一方、開口２ｃが設けられない左右側面２ｂ付近では、図３（ｃ）が示すように一部の排気ｚが吸引されず排気フード１内に滞留してしまう。このような滞留排気が多くなると、排気に含まれる油や水蒸気が、排気フード１内に付着し、結露が生じたりするなどして衛生上好ましくない。また、排気量が多い場合、せっかく排気フード１内に捕集した排気が、再度、排気フード１外に漏れ出てしまうこともある。
【０００６】
そこで、図４（ａ）に示すような排気装置１１が考えられる。この排気装置１１は、排気ダクト６、排気ファン７、排気フード８を有しており、排気ダクト６の内端側には逆漏斗状の拡開部６ａが形成されていて、この拡開部６ａは排気ダクト６に取付けた排気フード８内に突出した状態で配置されており、この拡開部６ａの開口部に、筒状のグリスフィルタ９を図示しない吊下げ用フック等の適宜の手段により着脱可能に取り付けて使用されている（特許文献２）。
【０００７】
特許文献２に係る発明は、排気フード内に特許文献１にあるようなチャンバを用いず、排気ダクト６の一部である拡開部６ａに直接、筒状のグリスフィルタ９を吊り下げ、排気ファンによって排気フード８内に捕集された排気は、筒状のグリスフィルタ９の全周面から吸引されるため、適切な処理風量であれば排気フード８内に排気が滞留しにくい効果がある。
【０００８】
【特許文献１】特開第２００８-７００９６号公報
【特許文献２】特開第２００２-７１１８１号公報
【考案の開示】
【考案が解決しようとする課題】
【０００９】
しかしながら、特許文献２に係る示す排気装置１１では、大きな処理風量に対応したい場合であっても、筒状グリスフィルタ９の直径を無限に大きくするわけにはいかず、おのずと限界がある。チャンバを設けていないことから、大きな処理風量に対応するには、図４（ｂ）に示すように、天井裏に排気ダクト６´を枝分かれさせるなど、排気ダクトに接続される排気口の数を増やすほかない。
【００１０】
そこで、本考案では、天井裏の排気ダクトの数を増やすなどの大掛かりな工事をせずとも、排気フード内で排気が滞留させることなく、簡単に排気の捕集向率をアップできる厨房用排気装置を提供することを課題とする。
【課題を解決するための手段】
【００１１】
本考案に係る厨房用排気装置は、排気ダクトに連通する排気口を有する排気フードと、排気口に接続されるチャンバと、チャンバに取り付けられるグリスフィルタとを有し、チャンバには、傾斜面と垂直面を有し、傾斜面には大開口が設けられ、垂直面には小開口が設けられて、大開口にはメイングリスフィルタ、小開口にはサブグリスフィルタが取り付けられることを特徴とする。
【考案の効果】
【００１２】
本発明に係るグリスフィルタによれば、排気フード内での排気の滞留を抑制して排気の捕集率を向上させて、排気フード内に油や水蒸気が付着するのを最小限にすることができ、衛生的なフード内環境を維持できる。
【図面の簡単な説明】
【００１３】
【図１】本発明に係る厨房用排気装置の（ａ）正面断面図と、（ｂ）グリスフィルタユニットの斜視図である。
【図２】本発明の別の実施形態に係る厨房用排気装置の（ａ）側面断面図と、（ｂ）グリスフィルタユニットの斜視図である。
【図３】従来の厨房用排気装置を示す（ａ）概略図と、（ｂ）グリスフィルタユニットと、（ｃ）正面断面図である。
【図４】従来の厨房用排気装置を示す（ａ）概略図と、（ｂ）天井裏の排気ダクトを枝分かれさせた状態を示す図である。
【考案を実施するための最良の形態】
【００１４】
図１（ａ）は、本考案に係る厨房用排気装置２０、図１（ｂ）グリスフィルタユニットＦ１を示している。図中、図３や図４と同一部分または対応する部分には同一符号を付してある。厨房用排気装置２０は、調理用熱源の上方位置の天井４に取り付けられた排気フード２１と、天井裏の排気ダクト５に対応する図示しない排気口に接続されたチャンパ２２を有している。チャンバ２２にはグリスフィルタ３が着脱自在に取り付けられる開口２２ｃと天井裏に設置される排気ダクトにつながる図示しない排気出口が設けられている。この排気出口は、排気フード２１の上面に設けられている排気口と対応し、グリスフィルタ３で油煙等が取り除かれた排気は、排気出口および排気口を介して排気ダクト５に導かれ、ダクト内に配備されている図示しない排気ファン（シロッコファンなど）によって屋外へ排出される。
【００１５】
チャンバ２２は、天井４に対し、傾斜して設けられる正面（２２ａ）と背面の二面と、この二面をつなぐ左右側面２２ｂを有し、左右側面２２ｂは天井４に対し垂直に設けられる。本実施形態では、正面および背面の傾斜面（２２ａ）にグリスフィルタ３が取り付けられるだけでなく、左右側面の垂直面（２２ｂ）にもそれぞれ開口（２２ｄ）設けられて、グリスフィルタ（２３）が取り付けられる。グリスフィルタユニットＦ１の底面は、傾斜がつけられてオイルパンが設けられるなどの公知の油受け対策がなされている。便宜上、傾斜面を二面有するフィルタユニットＦ１を両面式フィルタユニットという。
【００１６】
垂直面である左右側面２２ｂは、図３（ｂ）に示すように、逆台形の形状を有しているため、垂直面に設けられる開口２２ｄは、傾斜面に設けられる開口２２ｃよりも小さく、よって垂直面２２ｂに取り付けられるグリスフィルタ２３は、正面・背面（２２ａ）に取り付けられるグリスフィルタ３よりも小さいものとなっている。便宜上、傾斜面２２ａに設けられる開口２２ｃを大開口、垂直面に設けられる開口２２ｄを小開口といい、それぞれの開口に取り付けられるグリスフィルタをメイングリスフィルタ３、サブグリスフィルタ２３ということにする。なお、サブグリスフィルタ２３は、メイングリスフィルタ３を小型化したもので、図１（ｂ）で示すように、矩形の形状を有しているが、これに限定されない。台形状や三角形状あるいは円形状であってもよく、あくまで例示である。
【００１７】
次に、図２に示す厨房用排気装置３０は、チャンバ３２の傾斜面３２ａが一面しかない点で片面式フィルタユニットＦ２という。片面式では、排気ダクト５の設置位置により、チャンバ３２の背面側が厨房室の壁４´に沿って垂直面として構成されている。グリスフィルタ３が取り付けられる傾斜面３２ａは正面一面しかないため、片面式という。そして垂直面３２ｂである左右側面には、小開口３２ｄがそれぞれ設けられ、サブグリスフィルタ２３がそれぞれに取り付けられている。
【００１８】
両面式、片面式のいずれにおいても、本考案では、垂直面である左右側面にもグリスフィルタが取り付けられる開口が設けられるため、側面側に溜まっている油煙や水蒸気を含む排気を効率的に最短流路で排気できる。従来の側面に開口を開けていない厨房用排気装置に比べ、同じ風量でいかに速く排気できるかを実験した結果、約１．２〜１．４倍も早く排気できることが確認された。
【００１９】
蒸気が排気フード内で滞留する時間が長くなると、液化し、結露が発生しやすい環境になるが、素早く排気できることで結露の発生を抑制できる。さらに、油煙が排気フード内に付着することもより抑制され、排気フード内の衛生環境が従来よりも長く良い状態で維持できることにも貢献できる。
【００２０】
さらに、左右側面にも開口を設けることで、チャンバ全体の開口面積が増え、従来であればメイングリスフィルタのみを通過していた風量が、サブグリスフィルタにも分散されて通過するため、従来のものと同風量で圧力損失を比較すると、約２倍、本考案の圧力損失は小さい結果を示した。これは、同じ容量の排気ファンであれば捕集効率の向上を意味する。高い捕集効率を得られることから、排気ファンのサイズをコンパクトにするという選択肢も可能となった。
【００２１】
以上の実施形態では、業務用の厨房に用いられる排気装置を例に挙げたが、本発明は業務用厨房に限らない。排気フードの形状や排気ダクトの位置もすべて例示であってこれらに限定されない。
【符号の説明】
【００２２】
２０、３０  厨房用排気装置
２１、３１  排気フード
２２、３２  チャンバ
３              メイングリスフィルタ
２３        サブグリスフィルタ
４              天井
５              排気ダクト
【図１】
0003226394.tif 000003
【図２】
0003226394.tif 000004
【図３】
0003226394.tif 000005
【図４】
0003226394.tif 000006